(57)【要約】【課題】スライド操作する２方向に対して横振れし難いキーシート及びスライド入力スイッチの提供。【解決手段】キーシート５及びスライド入力スイッチ１２に、弾性支持膜９の一軸方向に対して交差する方向に台座部８から外縁支持部１０へ繋がるリブ９ａを設ける。これにより一軸方向に対して交差する方向のスライド荷重を高くし、一軸方向でのスライド荷重を相対的に低くできる。よって一軸方向と交差する方向へキートップ６を動き難くすることができ、一軸方向のスライド操作を横振れし難くできる。したがってキートップ６の横振れによるキートップ６と操作開口１ａとの接触を起こり難くでき、スライド操作荷重の上昇や不快音の発生を防ぐことができる。【選択図】図２
2007311250.tif 000002
【特許請求の範囲】
【請求項１】
平面内の一軸方向に移動可能な操作部と、該操作部を移動可能に浮動支持する薄膜状のゴム状弾性体でなる弾性支持膜と、を備えており、
弾性支持膜が、操作部の一軸方向に対する横振れを規制する横振れ規制手段を有するキーシート。
【請求項２】
操作部とベース部とを備えており、
操作部が硬質樹脂でなるキートップであり、
ベース部が、キートップを固着する台座部と、該台座部に固着したキートップを移動可能に浮動支持する前記弾性支持膜と、該弾性支持膜の外縁で弾性支持膜より厚肉の外縁支持部と、を有しており、
横振れ規制手段が、台座部と外縁支持部との間で一軸方向と交差する方向に延び、弾性支持膜の表面又は裏面の少なくとも一方に突出するリブである請求項１記載のキーシート。
【請求項３】
リブが中空形状である請求項２記載のキーシート。
【請求項４】
操作部とベース部とを備えており、
操作部が硬質樹脂でなるキートップであり、
ベース部が、キートップを固着する台座部と、該台座部に固着したキートップを移動可能に浮動支持する前記弾性支持膜と、該弾性支持膜の外縁で弾性支持膜より厚肉の外縁支持部と、を有しており、
横振れ規制手段が、弾性支持膜の一軸方向に向かって凹凸形状が連続する凹凸面部である請求項１記載のキーシート。
【請求項５】
請求項１〜請求項４何れか１項に記載のキーシートと、操作部のスライド操作量を検知するスライド操作量検出手段と、を備えるスライド入力スイッチ。
【発明の詳細な説明】
【技術分野】
【０００１】
本発明は、携帯電話機、デジタルカメラ、ＰＤＡ、カーナビゲーション、ゲーム機器用操作端末、オーディオ装置などの各種電子機器に用いられるキーシートと、それを用いるスライド入力スイッチに関する。
【背景技術】
【０００２】
携帯電話機、デジタルカメラなどの電子機器に用いられるスライド入力スイッチは、無操作状態における原位置から、筐体の外面と略平行な平面内の２方向（一軸方向）、４方向（十字方向）、又は３６０°方向（多方向）に操作ボタンを移動させることでスイッチ入力を行い、操作する指を離すと操作ボタンが原位置に自然復帰するようになっている。
【０００３】
このような操作ボタンを備える操作部材とそれを用いた２方向スライド入力スイッチの一従来例として、図１４，図１５で示すように、筐体１の内部に、操作部材としての操作ツマミ２を、スイッチ３を有する基板４上に配置するものが知られている（特許文献１，特許文献２）。操作ツマミ２は、操作開口１ａから露出する操作ボタンとしてのツマミ部２ａと、このツマミ部２ａにおける移動方向の両側に位置しゴム状弾性を有するＵ字型のヒンジ部２ｂと、両ヒンジ部２ｂの間にツマミ部２ａとは反対側に形成された突起２ｃと、によって構成される。このスライド入力スイッチは、矢示Ｘ方向又は矢示Ｙ方向へツマミ部２ａをスライド操作させると、ヒンジ部２ｂが弾性変形しながら突起２ｃにてスイッチ３が入力され、操作する指を離すとヒンジ部２ｂの復元力によってツマミ部２ａが原位置に復帰する。このようにゴム状弾性の復元力を用いたスイッチはメカニカルスイッチより薄型化が容易で、携帯電子機器に搭載しやすいという利点がある。
【特許文献１】特開２００４−３４２４２８号公報
【特許文献２】特開２００４−２８１１０４号公報
【発明の開示】
【発明が解決しようとする課題】
【０００４】
ところで、前述のようなスライド入力スイッチでは、ツマミ部２ａを２方向へ操作する際に、その２方向に対し横方向に振れ易いという課題がある。スライド操作が横方向に振れてしまった場合には、ツマミ部２ａが筐体１の操作開口１ａに接触し、操作荷重が重くなったり、筐体１と擦れて不快音を発するという不具合を生じることがある。このようなツマミ部２ａと筐体１との接触を避けるため、操作開口１ａにおけるツマミ部２ａとの横方向の隙間を広く設定すると、スライド操作時にツマミ部２ａの横振れが大きくなってしまい、スライド操作量の検出が不正確となり、操作感度が鈍くなったり、誤入力してしまうおそれがある。
【０００５】
以上のような従来技術を背景になされたのが本発明である。すなわち本発明の目的は、スライド操作する２方向に対して横振れし難いキーシート及びスライド入力スイッチを提供することにある。
【課題を解決するための手段】
【０００６】
上記目的を達成すべく本発明は以下のように構成される。
【０００７】
本発明は、平面内の一軸方向に移動可能な操作部と、該操作部を移動可能に浮動支持する薄膜状のゴム状弾性体でなる弾性支持膜と、を備えており、弾性支持膜が、操作部の一軸方向に対する横振れを規制する横振れ規制手段を有するキーシートを提供する。
【０００８】
本発明では、弾性支持膜に操作部の横振れを規制する横振れ規制手段を有するため、操作部を筐体の外面と略平行な平面内の一軸方向にスライド操作する際、横振れし難く操作部を移動させることができる。よって横振れによる操作部と筐体などの周辺部材との接触を起こり難くすることができ、操作荷重の上昇や不快音の発生を防ぐことができる。また操作部と操作部の横方向にある周辺部材との隙間を広く設定しても、スライド操作する際、横振れし難く操作部を一軸方向へ移動できるため、スライド操作量を正確に検出でき、確実なスライド入力を実現できる。
【０００９】
また本発明では、弾性支持膜に横振れ規制手段を有しているため、別途に規制する部材を備える必要がなく少ない部品点数でキーシートを構成できる。よって電子機器の小型化の要請に対応できる薄型のキーシートを実現できる。
【００１０】
本発明は前記キーシートについて、操作部とベース部とを備えており、操作部が硬質樹脂でなるキートップであり、ベース部が、キートップを固着する台座部と、該台座部に固着したキートップを移動可能に浮動支持する前記弾性支持膜と、該弾性支持膜の外縁で弾性支持膜より厚肉の外縁支持部と、を有しており、横振れ規制手段を、台座部と外縁支持部との間で一軸方向と交差する方向に延び、弾性支持膜の表面又は裏面の少なくとも一方に突出するリブとするものである。
【００１１】
本発明では、横振れ規制手段を台座部と外縁支持部との間で一軸方向と交差する方向に延びるリブとしている。リブにおける長手方向（一軸方向と交差する方向）での伸縮荷重が薄膜状の弾性支持膜の撓み荷重と比べて大きいため、一軸方向と交差する方向へのスライド荷重が高く一軸方向でのスライド荷重を相対的に低くすることができる。よって一軸方向と交差する方向にキートップを動き難くすることができ、一軸方向のスライド操作を横振れし難くできる。したがって操作部の横振れによる操作部と筐体などの周辺部材との接触を起こり難くでき、操作荷重の上昇や不快音の発生を防ぐことができる。また操作部と操作部の横方向にある周辺部材との隙間を広く設定しても、スライド操作する際、横振れし難く操作部を一軸方向へ移動できるため、スライド操作量を正確に検出でき、確実なスライド入力を実現できる。
【００１２】
また本発明では、リブを弾性支持膜の表面又は裏面の少なくとも一方に突出するように設ける。即ち、リブを弾性支持膜と一体に構成している。このためリブを別部材として備える必要がなく、部品点数を削減できる。よってキーシートの構成を簡単にでき、薄型のキーシートを実現できる。
【００１３】
本発明は前記リブを有するキーシートについて、リブを中空形状とする。これによれば弾性支持膜にリブを設ける場合でも、一軸方向でのスライド荷重が低くなる。つまり、
一軸方向へキートップをスライド操作すると、一軸方向と交差する方向に延びるリブの長手側が屈曲し、屈曲荷重をともなう。このためリブを中空形状にすれば中実形状より断面積を小さくでき、中実形状より小さい屈曲荷重にすることができる。よってスライド操作荷重が小さくなり、スライド操作し易くできる。
【００１４】
本発明は前記キーシートについて、操作部とベース部とを備えており、操作部が硬質樹脂でなるキートップであり、ベース部が、キートップを固着する台座部と、該台座部に固着したキートップを移動可能に浮動支持する前記弾性支持膜と、該弾性支持膜の外縁で弾性支持膜より厚肉の外縁支持部と、を有しており、横振れ規制手段を、弾性支持膜の一軸方向に向かって凹凸形状が連続する凹凸面部とするものである。
【００１５】
本発明では、横振れ規制手段を一軸方向に向かって凹凸形状が連続する凹凸面部としている。即ち、弾性支持膜を一軸方向と交差する方向に平行な突出部と溝部を交互に有する蛇腹形状に形成してある。このため弾性支持膜は、一軸方向へ容易に伸縮変形させることができ、他方一軸方向と交差する方向へは伸縮変形させ難くすることができる。よって一軸方向のスライド操作を横振れし難くくすることができる。したがって操作部の横振れによる操作部と筐体などの周辺部材との接触を起こり難くでき、操作荷重の上昇や不快音の発生を防ぐことができる。また操作部と操作部の横方向にある周辺部材との隙間を広く設定しても、スライド操作する際、横振れし難く操作部を一軸方向へ移動できるため、スライド操作量を正確に検出でき、確実なスライド入力を実現できる。
【００１６】
また、本発明は、前記何れかの本発明によるキーシートと、操作部のスライド操作量を検知するスライド操作量検出手段と、を備えるスライド入力スイッチを提供する。
【００１７】
本発明では、前記何れかの本発明によるキーシートとスライド操作量検出手段とを備えるため、一軸方向にスライド操作し易く、しかも横振れし難くいキーシートによって、操作部と筐体などの周辺部材との接触を起こり難くでき、操作荷重の上昇や不快音の発生を防ぐことができる。また操作部と操作部の横方向にある周辺部材との隙間を広く設定しても、スライド操作する際、横振れし難く操作部を一軸方向へ移動できるため、スライド操作量を正確に検出でき、確実なスライド入力を実現できる。
【００１８】
また本発明では、キーシートの弾性支持膜に横振れ規制手段を設けているため、別途に規制する部材を備える必要がなく少ない部品点数でスライド入力スイッチを構成できる。よって電子機器の小型化の要請に対応できる薄型のスライド入力スイッチを実現できる。
【発明の効果】
【００１９】
本発明のキーシート及びスライド入力スイッチによれば、操作部を筐体の外面と略平行な平面内の一軸方向にスライド操作する際、横振れし難く操作部を移動させることができる。このため横振れによる操作部と筐体などの周辺部材との接触を起こり難くすることができ、操作荷重の上昇や不快音の発生を防ぐことができる。また操作部と操作部の横方向にある周辺部材との隙間を広く設定しても、スライド操作する際、横振れし難く操作部を一軸方向へ移動できるため、スライド操作量を正確に検出でき、確実なスライド入力を実現できる。
【００２０】
また本発明のキーシート及びスライド入力スイッチによれば、別途に規制する部材を備える必要がない。このため少ない部品点数によって電子機器の小型化の要請に対応できる薄型のキーシート及びスライド入力スイッチを実現できる。特に携帯電話機やデジタルカメラなどの携帯型電子機器への利用に好適である。
【発明を実施するための最良の形態】
【００２１】
以下、本発明の実施形態について図面を参照しつつ説明する。なお、各実施形態で共通する構成については、同一符号を付して重複説明を省略する。
【００２２】
第１実施形態〔図１〜図４〕
第１実施形態のキーシート５は、キートップ６と「ベース部」としてのベースシート７とを備えている。
【００２３】
キートップ６はポリカーボネート樹脂の硬質樹脂でなり、平面視で矩形状に形成されている。下端には外方へ突出する環状の鍔部６ａが設けられている。なお、キートップ６には、文字、数字、記号などの表示部を形成することができる。
【００２４】
ベースシート７はシリコーンゴムのゴム状弾性体でなり、平面視でキートップ６より大きい矩形状に形成されている。このベースシート７は、キートップ６を固着する台座部８と、台座部８を浮動支持する平坦で薄膜状の弾性支持膜９と、弾性支持膜９の外縁で弾性支持膜９より厚肉の外縁支持部１０とによって構成されている（図３，図４）。
【００２５】
このうち台座部８には、操作面側となる表面に「スライド操作量検出手段」としての磁石１１を収容する凹部８ａが形成されている。表面と反対の裏面には押し子部８ｂと突起８ｃが基板４に向かって突設されている。押し子部８ｂは基板４上の皿ばねでなるスイッチ３を押圧入力できるようになっている。突起８ｃは凹部８ａの位置にあって先端が基板４と接触しており、スライド移動時に凹部８ａの底面が対向する基板４と摺動接触して操作荷重が増大しないように、凹部８ａを基板４から浮かせて支持している。また、この突起８ｃは後述のようにキートップ６を押圧入力する際の支点として機能する。このため支点としての機能を果たせるように、凹部８ａの幅方向にわたる直方体形状（角棒形状）として形成されている（図３参照）。
【００２６】
弾性支持膜９の表面には、スライド操作する一軸方向（矢示Ｘ方向又は矢示Ｙ方向）との交差方向（本実施形態では直交方向）に台座部８から外縁支持部１０に繋がる中実に形成された「横振れ規制手段」としてのリブ９ａが突出している。なお、本実施形態では、中実のリブ９ａを弾性支持膜９の表面に１つ突出させているが、裏面に突出させたり、又は表裏面に突出させる構成とすることもできる。さらに複数突出させることもできる。
【００２７】
外縁支持部１０は、その上端及び下端が弾性支持膜９の表面及び裏面より各々突出しており、筐体１と基板４との間に押圧状態で挟まれるようになっている。
【００２８】
次に、第１実施形態のキーシート５を備えるスライド入力スイッチ１２を説明する（図２）。スライド入力スイッチ１２は、キーシート５の他に筐体１と基板４を備えており、台座部８の表面に図外の接着剤で固着したキートップ６を操作開口１ａから露出し、押し子部８ｂがスイッチ３と整合するように筐体１と基板４との間で外縁支持部１０を押圧状態で挟持している。そして凹部８ａ内には磁石１１を収容してあり、基板４にはこの磁石１１の矢示Ｘ方向及び矢示Ｙ方向（一軸方向）に沿って各々「スライド操作量検出手段」としてのホール素子１３を配置してある。このスライド入力スイッチ１２の操作は、図１，図２で示す初期位置から矢示Ｘ方向又は矢示Ｙ方向へキートップ６をスライド操作すると、弾性支持膜９が弾性変形しながら磁石１１の磁力をホール素子１３が検知してスライド操作量を検出しスライド入力が行われ、操作の指を離すと弾性支持膜９の復元力によってキートップ６が初期位置に復帰する。
【００２９】
またキートップ６を基板４に向けて押圧すると、突起８ｃが支点として機能するためキートップ６を傾倒させやすくなる。そしてキートップ６の傾倒により押し子部８ｂが下方に変位することでスイッチ３を押圧させ、これにより押圧入力が行われる。
【００３０】
ここでキーシート５の各構成部材の材質について説明する。なお、以下の説明は後述の各実施形態についても共通である。
【００３１】
ベースシート７を形成する「ゴム状弾性体」の材質は、反撥性のよい熱硬化性エラストマー又は熱可塑性エラストマーが好ましい。例えば、本実施形態のベースシート７として採用するシリコーンゴムの他、イソプレンゴム、エチレンプロピレンゴム、ブタジエンゴム、クロロプレンゴム、天然ゴム、スチレン系熱可塑性エラストマー、エステル系熱可塑性エラストマー、ウレタン系熱可塑性エラストマー、オレフィン系熱可塑性エラストマー、アミド系熱可塑性エラストマー、ブタジエン系熱可塑性エラストマー、エチレン−酢酸ビニル系熱可塑性エラストマー、フッ素系熱可塑性エラストマー、イソプレン系熱可塑性エラストマー、塩素化ポリエチレン系熱可塑性エラストマー等が挙げられる。さらにこれらのゴム状弾性体で温度依存性が少ない点を考慮するとシリコーンゴムが好ましく、また耐久性を考慮するとスチレン系熱可塑性エラストマー、エステル系熱可塑性エラストマーが好ましい。
【００３２】
キートップ６を形成する「硬質樹脂」の材質は、機械的強度、耐久性等の要求性能、及び軽量化により、熱可塑性樹脂又は反応硬化性樹脂が好ましい。例えば、本実施形態のキートップ６として採用するポリカーボネート樹脂の他、ポリメチルメタクリレート樹脂、ポリプロピレン樹脂、ポリスチレン樹脂、ポリアクリル共重合樹脂、ポリオレフィン樹脂、アクリロニトリルブタジエンスチレン樹脂、ポリエステル樹脂、エポキシ樹脂、ポリウレタン樹脂、ポリアミド樹脂、シリコーン樹脂等が挙げられる。さらにこれらの硬質樹脂で加工性を考慮すると、ポリカーボネート樹脂、ポリメチルメタクリレート樹脂、ポリアクリル共重合樹脂、アクリロニトリルブタジエンスチレン樹脂が好ましく、高硬度を考慮すると、ポリメチルメタクリレート樹脂、ポリアクリル共重合樹脂、エポキシ樹脂が好ましい。また透明性を考慮すると、ポリカーボネート樹脂、ポリメチルメタクリレート樹脂、ポリアクリル共重合樹脂が好ましい。
【００３３】
最後に本実施形態のキーシート５及びスライド入力スイッチ１２の作用・効果を説明する。
【００３４】
キーシート５及びスライド入力スイッチ１２では、スライド操作方向となる一軸方向に対する交差方向に沿って、弾性支持膜９に台座部８から外縁支持部１０へ繋がるリブ９ａを設けている。このリブ９ａにおける長手方向の伸縮荷重は平坦で薄膜状の弾性支持膜９の平坦面部における撓み荷重に比べ大きいため、一軸方向に対する交差方向へのスライド荷重が高く一軸方向でのスライド荷重を相対的に低くすることができる。よって一軸方向に対する交差方向でキートップ６（台座部８）を動き難くすることができ、一軸方向のスライド操作を横振れし難くできる。したがってキートップ６の横振れによるキートップ６と操作開口１ａとの接触を起こり難くでき、スライド操作荷重の上昇や不快音の発生を防ぐことができる。またキートップ６とキートップ６の横方向にある操作開口１ａとの隙間を広く設定しても、スライド操作する際、横振れし難くキートップ６を一軸方向へ移動できるため、スライド操作量を正確に検出でき、確実なスライド入力を実現できる。
【００３５】
またリブ９ａを弾性支持膜９の表面に突出するように設けているため、リブ９ａを別部材として備える必要がなく、部品点数を削減できる。よって簡単な構成のキーシート５となり、薄型化を実現できる。
【００３６】
本実施形態では、ゴム状弾性体でなる弾性支持膜９の弾性変形により、スライド操作後のキートップ６を初期位置に復帰させているため、メカニカルスイッチより薄型化を容易にできる。よって電子機器の小型化の要請に対応できる薄型のキーシート５及びスライド入力スイッチ１２を実現できる。
【００３７】
スライド入力スイッチ１２では、外縁支持部１０を筐体１と基板４との間に押圧状態で挟持してキーシート５を取付ているため、外縁支持部１０を筐体１の操作開口１ａに対するシール部とすることができる。よって塵や水分が操作開口１ａから筐体１の内部へ侵入することを防止できる。
【００３８】
第１実施形態の変形例〔図５〕
第１実施形態のキーシート５では「横振れ規制手段」として弾性支持膜９の表面に中実のリブ９ａを例示したが、変形例のキーシート１４では弾性支持膜１５に「中空形状」となる断面コ字状のリブ１５ａを設けることも可能である。このようにすれば第１実施形態における中実のリブ９ａより断面積を小さくでき、リブ９ａより小さい屈曲荷重にすることができる。よってスライド操作荷重が小さくなり、スライド操作し易くできる。
【００３９】
第２実施形態〔図６〜図１０〕
第２実施形態のキーシート１６が、第１実施形態のキーシート５と異なるのは、ベースシート１７の弾性支持膜１８の構成である。残余の構成及びその作用と効果は第１実施形態と同じである。
【００４０】
弾性支持膜１８は、一軸方向に対する交差方向（本実施形態では直交方向）に沿う山部１８ａと谷部１８ｂとが交互に連続する「横振れ規制手段」としての凹凸面部１８ｃを、その全面に形成してある（図８，図９）。
【００４１】
台座部８における表面側の角面Ｃ１及び裏面側の角面Ｃ２や、台座部８と弾性支持膜１８との境界となる角面Ｃ３については、図１０で示すように曲面形状として形成している。
【００４２】
このようなキーシート１６を備える第２実施形態のスライド入力スイッチ１９は、第１実施形態のスライド入力スイッチ１２と同様にキーシート１６の他に筐体１と基板４を備えている。台座部８の表面に図外の接着剤で固着したキートップ６を操作開口１ａから露出し、押し子部８ｂがスイッチ３と整合するように筐体１と基板４との間で外縁支持部１０を押圧状態で挟持している。そして凹部８ａ内には磁石１１を収容してあり、基板４にはこの磁石１１の矢示Ｘ方向及び矢示Ｙ方向（一軸方向）に沿って各々ホール素子１３を配置してある。
【００４３】
第２実施形態のキーシート１６及びスライド入力スイッチ１９の作用・効果を説明する。
【００４４】
キーシート１６及びスライド入力スイッチ１９では、弾性支持膜１８を凹凸面部１８ｃとして形成してあるため、一軸方向へ容易に伸縮変形することができ、他方一軸方向に対する交差方向へは伸縮変形をし難くできる。よって一軸方向のスライド操作を横振れし難くすることができる。したがってキートップ６が横振れによって操作開口１ａと接触させ難くすることができ、スライド操作荷重の上昇や不快音の発生を防ぐことができる。またキートップ６とキートップ６の横方向にある操作開口１ａとの隙間を広く設定しても、スライド操作する際、横振れし難くキートップ６を一軸方向へ移動できるため、スライド操作量を正確に検出でき、確実なスライド入力を実現できる。
【００４５】
本実施形態では、凸面状の角面Ｃ１，Ｃ３が曲面形状であるため、例えば直交面のような曲面形状でない場合と比べると角面Ｃ１，Ｃ３の肉厚が薄くなる。したがって角面Ｃ１，Ｃ３が変形し易くなり、スライド操作の際に角面Ｃ１，Ｃ３での変形荷重が小さくなってスライド操作荷重を小さくすることができる。他方、凹面状の角面Ｃ２が曲面形状であるため、例えば直交面のような曲面形状でない場合と比較すると角面Ｃ２の肉厚が厚くなる。したがって、角面Ｃ２における耐久性が高くなり、角面Ｃ２を破れ難くすることができる。
【００４６】
第２実施形態の第１変形例〔図１１〕
第２実施形態のキーシート１６では「横振れ規制手段」としての凹凸面部１８ｃを弾性支持膜１８の全体とする例を示したが、第１変形例ではベースシート２０の弾性支持膜２１のうち台座部８から外縁支持部１０に繋がる部分のみを凹凸面部２１ａとして、一軸方向に対する交差方向に平行な山部２１ｂと谷部２１ｃを交互に形成し、他の部分を平坦面部２１ｄとして構成している。このように弾性支持膜２１のうち台座部８から外縁支持部１０に繋がる部分にのみ凹凸面部２１ａを形成しても、台座部８を一軸方向に対する交差方向へ動き難くすることができるため、スライド操作する際に横振れし難くできる。
【００４７】
第２実施形態の第２変形例〔図１２〕
第２実施形態のキーシート１６では「横振れ規制手段」としての凹凸面部１８ｃの外縁全周を外縁支持部１０に連結する例を示したが、第２変形例ではベースシート２２の弾性支持膜２３のうち台座部８から外縁支持部１０に繋がる部分のみを外縁支持部１０に連結し、他の部分には欠如部２４を設けて外縁支持部１０に連結しない構成としている。このようにすれば弾性支持膜２３において外縁支持部１０と連結していない部分の引張応力をほぼ無くすことができる。このため弾性支持膜２３の全体が一軸方向に対して交差方向に沿う山部２３ａと谷部２３ｂとが交互に連続する凹凸面部２３ｃであっても、一軸方向へのスライド操作の際に弾性支持膜２３の変形応力を小さくできる。よってスライド操作荷重を小さくすることができスライド操作し易くできる。
【００４８】
第２実施形態の第３変形例〔図１３〕
第２実施形態のキーシート１６では「横振れ規制手段」として一軸方向に対する直交方向に沿う山部１８ａと谷部１８ｂとが交互に連続する凹凸面部１８ｃを例示したが、第３変形例におけるベースシート２５の弾性支持膜２６には、一軸方向に対する斜め方向に沿う山部２６ａと谷部２６ｂとが交互に連続する凹凸面部２６ｃを形成してある。このようにすれば、一軸方向における矢示Ｘ方向と矢示Ｙ方向とのスライド操作荷重を相互に異なる荷重に設定できる。これは凹凸面部２６ｃの引張応力と圧縮応力の差異を利用するもので、本変形例では矢示Ｘ方向のスライド操作荷重を矢示Ｙ方向のスライド操作荷重より小さくできる。よってスライド操作する際に横振れし難くできることに加え、一軸方向のスライド操作荷重に異方性を付与することもできる。
【００４９】
各実施形態に共通の変形例を説明する。
【００５０】
各実施形態に共通の第１変形例
第１，第２実施形態のキーシート５，１６では、台座部８の裏面から基板４に向かって突出する押し子部８ｂや突起８ｃをゴム状弾性体のシリコーンゴムで形成する例を示したが、第１変形例では硬質樹脂でなる押し子部８ｂや突起８ｃを、ゴム状弾性体でなる台座部８の裏面に固着することもできる。このようにすれば押し子部８ｂや突起８ｃの先端とスイッチ３や基板４との摺動性が高まり、滑らかなスライド操作が可能となる。さらに突起８ｃは、キートップ６を押圧した際に歪まない支点となるため、押圧入力し易くできる。
【００５１】
各実施形態に共通の第２変形例
第１，第２実施形態のキーシート５，１６では、キートップ６を硬質樹脂のポリカーボネート樹脂で形成する例を示したが、第２変形例では金属やセラミックスでなるキートップ６とすることもできる。このようにすればキートップ６の加飾バリエーションを拡大できる。またゴム状弾性体でなる台座部８を上方へ膨出させ、「操作部」としてのキートップ部とすることもできる。このようにすると別部材のキートップ６を用意する必要がなく、部品点数が削減できキーシートを容易に製造できる。
【００５２】
各実施形態に共通の第３変形例
第１，第２実施形態のスライド入力スイッチ１２，１９では「スライド操作量検出手段」として、台座部８の凹部８ａ内に収容した磁石１１と、基板４上に配置したホール素子１３とによる磁気方式を例示したが、第３変形例として光学方式や電気抵抗方式を用いることも可能である。光学方式は、基板４や台座部８の裏面に発光素子や受光素子を取付け、キートップ６の移動による光量変化を検知してスライド操作量を検出できる。電気抵抗方式は、基板４上に設けた抵抗回路や可変抵抗器と台座部８の突起８ｃの接触を利用して、キートップ６の移動による抵抗値変化からスライド操作量を検出できる。
【図面の簡単な説明】
【００５３】
【図１】第１実施形態のキーシートを備えるスライド入力スイッチの上面図。
【図２】図１のＳＢ−ＳＢ線断面図。
【図３】第１実施形態のキーシートを構成するベース部の上面図。
【図４】図３のＳＣ−ＳＣ線断面図。
【図５】第１実施形態におけるキーシートの変形例のＳＣ−ＳＣ線相当断面図。
【図６】第２実施形態のキーシートを備えるスライド入力スイッチの上面図。
【図７】図６のＳＤ−ＳＤ線断面図。
【図８】第２実施形態のキーシートを構成するベース部の上面図。
【図９】図８のＳＥ−ＳＥ線断面図。
【図１０】図８のＳF−ＳF線断面図。
【図１１】第２実施形態におけるキーシートを構成するベース部の第１変形例の上面図。
【図１２】第２実施形態におけるキーシートを構成するベース部の第２変形例の上面図。
【図１３】第２実施形態におけるキーシートを構成するベース部の第３変形例の上面図。
【図１４】従来のスライド入力スイッチの上面図。
【図１５】図１４のＳＡ−ＳＡ線断面図。
【符号の説明】
【００５４】
１    筐体
１ａ  操作開口
２    操作ツマミ
２ａ  ツマミ部
２ｂ  ヒンジ部
２ｃ  突起
３    スイッチ
４    基板
５    キーシート（第１実施形態）
６    キートップ（操作部）
７    ベースシート（ベース部）
８    台座部
８ａ  凹部
８ｂ  押し子部
８ｃ  突起
９    弾性支持膜
９ａ  リブ（横振れ規制手段）
１０    外縁支持部
１１    磁石（スライド操作量検出手段）
１２    スライド入力スイッチ（第１実施形態）
１３    ホール素子（スライド操作量検出手段）
１４    キーシート（第１実施形態の変形例）
１５    弾性支持膜
１５ａ  リブ（横振れ規制手段）
１６    キーシート（第２実施形態）
１７    ベースシート（ベース部）
１８    弾性支持膜
１８ａ  山部
１８ｂ  谷部
１８ｃ  凹凸面部（横振れ規制手段）
１９    スライド入力スイッチ（第２実施形態）
２０    ベースシート（第２実施形態の第１変形例：ベース部）
２１    弾性支持膜
２１ａ  凹凸面部（横振れ規制手段）
２１ｂ  山部
２１ｃ  谷部
２１ｄ  平坦面部
２２    ベースシート（第２実施形態の第２変形例：ベース部）
２３    弾性支持膜
２３ａ  山部
２３ｂ  谷部
２３ｃ  凹凸面部（横振れ規制手段）
２４    欠如部
２５    ベースシート（第２実施形態の第３変形例：ベース部）
２６    弾性支持膜
２６ａ  山部
２６ｂ  谷部
２６ｃ  凹凸面部（横振れ規制手段）
Ｃ１，Ｃ２，Ｃ３  角面
【図１】
2007311250.tif 000003
【図２】
2007311250.tif 000004
【図３】
2007311250.tif 000005
【図４】
2007311250.tif 000006
【図５】
2007311250.tif 000007
【図６】
2007311250.tif 000008
【図７】
2007311250.tif 000009
【図８】
2007311250.tif 000010
【図９】
2007311250.tif 000011
【図１０】
2007311250.tif 000012
【図１１】
2007311250.tif 000013
【図１２】
2007311250.tif 000014
【図１３】
2007311250.tif 000015
【図１４】
2007311250.tif 000016
【図１５】
2007311250.tif 000017